(57)【特許請求の範囲】
【請求項１】
集積された検査対象となる印刷物を１枚ずつ搬送する搬送機構と、
この搬送機構によって搬送される前記印刷物上の画像データを入力する画像入力手段と、
前記搬送機構によって搬送され、前記画像入力手段によって画像入力された前記印刷物を集積する第１の集積部と、
前記画像入力手段により入力された画像データを基準データと比較することにより前記印刷物の印刷状態を検査し、印刷品質の程度を表わすレベルデータを出力する検査手段と、
前記画像入力手段により入力された画像データを前記検査手段から出力されたレベルデータに基づいて複数の記憶手段に選択的に記憶させる記憶手段と、
前記印刷品質の程度を表わすレベルデータ順に前記複数の記憶手段から選択的に画像データを順次読出すデータ読出手段と、
このデータ読出手段により読出された画像データを順次表示する画像表示手段と、
この画像表示手段により表示された画像データに基づいて良、不良の判定結果を入力する判定結果入力手段と、
この判定結果入力手段によって判定結果の入力が終了した後、前記第１の集積部に集積された印刷物を１枚ずつ取出し、前記入力された判定結果に基づいて第２の集積部に区分する区分手段と、
を具備したことを特徴とする印刷物の目視検査補助装置。
【請求項２】
集積された検査対象となる印刷物を１枚ずつ搬送する搬送機構と、
この搬送機構によって搬送される前記印刷物上の画像データを入力する画像入力手段と、
前記搬送機構によって搬送され、前記画像入力手段によって画像入力された前記印刷物を集積する第１の集積部と、
前記画像入力手段により入力された画像データを基準データと比較することにより前記印刷物の印刷状態を検査し、印刷欠陥の種類を表わす種類データを出力する検査手段と、
前記画像入力手段により入力された画像データを前記検査手段から出力された種類データに基づいて複数の記憶手段に選択的に記憶させる記憶手段と、
前記印刷欠陥の種類を表わす種類データ順に前記複数の記憶手段から選択的に画像データを順次読出すデータ読出手段と、
このデータ読出手段により読出された画像データを順次表示する画像表示手段と、
この画像表示手段により表示された画像データに基づいて良、不良の判定結果を入力する判定結果入力手段と、
この判定結果入力手段によって判定結果の入力が終了した後、前記第１の集積部に集積された印刷物を１枚ずつ取出し、前記入力された判定結果に基づいて第２の集積部に区分する区分手段と、
を具備したことを特徴とする印刷物の目視検査補助装置。
【請求項３】
集積された検査対象となる印刷物を１枚ずつ搬送する搬送機構と、
この搬送機構によって搬送される前記印刷物上の画像データを入力する画像入力手段と、
前記搬送機構によって搬送され、前記画像入力手段によって画像入力された前記印刷物を集積する第１の集積部と、
前記画像入力手段により入力された画像データを基準データと比較することにより前記印刷物の印刷状態を検査し、印刷品質の程度を表わすレベルデータを出力する検査手段と、
この検査手段から出力されたレベルデータを前記画像入力手段により入力された対応する画像データに付加して記憶する記憶手段と、
この記憶手段から前記印刷品質の程度を表わすレベルデータ順に画像データを順次読出すデータ読出手段と、
このデータ読出手段により読出された画像データを順次表示する画像表示手段と、
この画像表示手段により表示された画像データに基づいて良、不良の判定結果を入力する判定結果入力手段と、
この判定結果入力手段によって判定結果の入力が終了した後、前記第１の集積部に集積された印刷物を１枚ずつ取出し、前記入力された判定結果に基づいて第２の集積部に区分する区分手段と、
を具備したことを特徴とする印刷物の目視検査補助装置。
【請求項４】
集積された検査対象となる印刷物を１枚ずつ搬送する搬送機構と、
この搬送機構によって搬送される前記印刷物上の画像データを入力する画像入力手段と、
前記搬送機構によって搬送され、前記画像入力手段によって画像入力された前記印刷物を集積する第１の集積部と、
前記画像入力手段により入力された画像データを基準データと比較することにより前記印刷物の印刷状態を検査し、印刷欠陥の種類を表わす種類データを出力する検査手段と、
この検査手段から出力された種類データを前記画像入力手段により入力された対応する画像データに付加して記憶する記憶手段と、
この記憶手段から前記印刷欠陥の種類を表わす種類データ順に画像データを順次読出すデータ読出手段と、
このデータ読出手段により読出された画像データを順次表示する画像表示手段と、
この画像表示手段により表示された画像データに基づいて良、不良の判定結果を入力する判定結果入力手段と、
この判定結果入力手段によって判定結果の入力が終了した後、前記第１の集積部に集積された印刷物を１枚ずつ取出し、前記入力された判定結果に基づいて第２の集積部に区分する区分手段と、
を具備したことを特徴とする印刷物の目視検査補助装置。
【発明の詳細な説明】
【０００１】
【発明の属する技術分野】
本発明は、たとえば、印刷物の印刷品質の検査を人間が目視により行なう場合に、印刷物上の画像データを表示することにより、人間の目視検査を補助する印刷物の目視検査補助装置に関する。
【０００２】
【従来の技術】
従来、印刷物の印刷品質の検査を行なうには、人間の目視検査による方法と、画像処理による自動検査方法とが用いられてきた。
前者の人間の目視検査による方法については、たとえば、特開昭６３−２４４１７３号公報に開示されているように、印刷物そのものを搬送させ、両面を２人により検査し易くする印刷物の取扱い機構に関する省力化の技術が知られている。
【０００３】
また、後者の画像処理による自動検査方法では、たとえば、特公平１−４７８２３号公報に開示されているように、印刷物を画像データとしてとらえ、基準の画像データと比較することにより、両者に差があれば印刷欠陥として検出するという技術が知られている。
【０００４】
【発明が解決しようとする課題】
上述した印刷物の搬送により人間の目視検査を補助する装置は、印刷物の搬送を補助するだけで印刷検査の目視検査の省力効果は低い。また、画像処理による自動検査装置では、正常な印刷物のばらつきと微妙な印刷欠陥との区別を行なうことが困難で、正しい印刷を欠陥と誤判別したり、欠陥のある印刷を検出できなかったりするという問題がある。
【０００５】
そこで、本発明は、人間が目視にて行なう印刷物の検査において、検査者の労力を軽減し、かつ、誤判別をなくして検査ミスの減少が可能となる印刷物の目視検査補助装置を提供することを目的とする。
【０００６】
【課題を解決するための手段】
本発明の印刷物の目視検査補助装置は、集積された検査対象となる印刷物を１枚ずつ搬送する搬送機構と、この搬送機構によって搬送される前記印刷物上の画像データを入力する画像入力手段と、前記搬送機構によって搬送され、前記画像入力手段によって画像入力された前記印刷物を集積する第１の集積部と、前記画像入力手段により入力された画像データを基準データと比較することにより前記印刷物の印刷状態を検査し、印刷品質の程度を表わすレベルデータを出力する検査手段と、前記画像入力手段により入力された画像データを前記検査手段から出力されたレベルデータに基づいて複数の記憶手段に選択的に記憶させる記憶手段と、前記印刷品質の程度を表わすレベルデータ順に前記複数の記憶手段から選択的に画像データを順次読出すデータ読出手段と、このデータ読出手段により読出された画像データを順次表示する画像表示手段と、この画像表示手段により表示された画像データに基づいて良、不良の判定結果を入力する判定結果入力手段と、この判定結果入力手段によって判定結果の入力が終了した後、前記第１の集積部に集積された印刷物を１枚ずつ取出し、前記入力された判定結果に基づいて第２の集積部に区分する区分手段とを具備している。
【０００７】
また、本発明の印刷物の目視検査補助装置は、集積された検査対象となる印刷物を１枚ずつ搬送する搬送機構と、この搬送機構によって搬送される前記印刷物上の画像データを入力する画像入力手段と、前記搬送機構によって搬送され、前記画像入力手段によって画像入力された前記印刷物を集積する第１の集積部と、前記画像入力手段により入力された画像データを基準データと比較することにより前記印刷物の印刷状態を検査し、印刷欠陥の種類を表わす種類データを出力する検査手段と、前記画像入力手段により入力された画像データを前記検査手段から出力された種類データに基づいて複数の記憶手段に選択的に記憶させる記憶手段と、前記印刷欠陥の種類を表わす種類データ順に前記複数の記憶手段から選択的に画像データを順次読出すデータ読出手段と、このデータ読出手段により読出された画像データを順次表示する画像表示手段と、この画像表示手段により表示された画像データに基づいて良、不良の判定結果を入力する判定結果入力手段と、この判定結果入力手段によって判定結果の入力が終了した後、前記第１の集積部に集積された印刷物を１枚ずつ取出し、前記入力された判定結果に基づいて第２の集積部に区分する区分手段と具備している。
【０００８】
また、本発明の印刷物の目視検査補助装置は、集積された検査対象となる印刷物を１枚ずつ搬送する搬送機構と、この搬送機構によって搬送される前記印刷物上の画像データを入力する画像入力手段と、前記搬送機構によって搬送され、前記画像入力手段によって画像入力された前記印刷物を集積する第１の集積部と、前記画像入力手段により入力された画像データを基準データと比較することにより前記印刷物の印刷状態を検査し、印刷品質の程度を表わすレベルデータを出力する検査手段と、この検査手段から出力されたレベルデータを前記画像入力手段により入力された対応する画像データに付加して記憶する記憶手段と、この記憶手段から前記印刷品質の程度を表わすレベルデータ順に画像データを順次読出すデータ読出手段と、このデータ読出手段により読出された画像データを順次表示する画像表示手段と、この画像表示手段により表示された画像データに基づいて良、不良の判定結果を入力する判定結果入力手段と、この判定結果入力手段によって判定結果の入力が終了した後、前記第１の集積部に集積された印刷物を１枚ずつ取出し、前記入力された判定結果に基づいて第２の集積部に区分する区分手段とを具備している。
【０００９】
さらに、本発明の印刷物の目視検査補助装置は、集積された検査対象となる印刷物を１枚ずつ搬送する搬送機構と、この搬送機構によって搬送される前記印刷物上の画像データを入力する画像入力手段と、前記搬送機構によって搬送され、前記画像入力手段によって画像入力された前記印刷物を集積する第１の集積部と、前記画像入力手段により入力された画像データを基準データと比較することにより前記印刷物の印刷状態を検査し、印刷欠陥の種類を表わす種類データを出力する検査手段と、この検査手段から出力された種類データを前記画像入力手段により入力された対応する画像データに付加して記憶する記憶手段と、この記憶手段から前記印刷欠陥の種類を表わす種類データ順に画像データを順次読出すデータ読出手段と、このデータ読出手段により読出された画像データを順次表示する画像表示手段と、この画像表示手段により表示された画像データに基づいて良、不良の判定結果を入力する判定結果入力手段と、この判定結果入力手段によって判定結果の入力が終了した後、前記第１の集積部に集積された印刷物を１枚ずつ取出し、前記入力された判定結果に基づいて第２の集積部に区分する区分手段とを具備している。
【００１７】
本発明によれば、機械的な前段階の処理により、たとえば、印刷品質の悪い順に、もしくは、印刷品質の良い順に印刷物の画像を表示し、印刷品質の最終的な判定結果を収集することで、印刷物を選別することができる。これにより、ランダムに発生し得る印刷欠陥の検査を、印刷欠陥の程度が連続的に変化していく目視検査に変換することができる。したがって、突発的な判定ミスをなくし、かつ、判定レベルの均一性を保ち、また、検査の負担を軽減し、検査時間を短縮することができる。
【００１８】
また、本発明によれば、機械的な前段階の処理により、印刷欠陥の種類ごとに印刷物の画像を表示し、印刷品質の最終的な判定結果を収集することで、印刷物を選別することができる。これにより、印刷物の目視検査を印刷欠陥の種類ごとに連続して進めることが可能となる。したがって、突発的な判定ミスをなくし、かつ、判定レベルの均一性を保ち、また、検査の負担を軽減し、検査時間を短縮することができる。
【００１９】
さらに、本発明によれば、画像記憶手段を用いることなく、複数の人間により印刷欠陥の種類別に目視検査することができ、これにより、高速かつ正確な印刷物の検査が可能となる。
【００２０】
【発明の実施の形態】
以下、本発明の実施の形態について図面を参照して説明する。
まず、第１の実施の形態について説明する。
図１は、第１の実施の形態に係る印刷物の目視検査補助装置の構成を概略的に示すものである。この印刷物の目視検査補助装置は、検査対象となる印刷物Ｐが集積される集積部１１６、この集積部１１６内の印刷物Ｐを１枚ずつ取出して搬送する搬送機構１２０、この搬送機構１２０で搬送されてきた印刷物Ｐを一時集積する集積部（第１の集積部）１１７、この集積部１１７内の印刷物Ｐを１枚ずつ取出して搬送する搬送機構１２１、この搬送機構１２１で搬送されてきた印刷物Ｐを振分けるゲート１１５、このゲート１１５で振分けられた印刷物Ｐを搬送する搬送機構（第２の集積部）１２２，１２３、これら搬送機構１２２，１２３で搬送されてきた印刷物Ｐを集積する集積部１１８，１１９、搬送機構１２０で搬送される印刷物Ｐ上の画像データを読取って入力する画像入力手段としての画像入力部１０１、基準となる画像データ（基準データ）を記憶している基準画像記憶部１０２、検査手段としての比較検査部１０３、欠陥レベル出力部１０４、データ選別手段としてのデータ選別部１０５、画像データを記憶する複数（Ｎ個）の記憶手段としてのデータ記憶部１０６，１０７，１０８、画像データを読出すデータ読出手段としてのデータ読出部１０９、読出す画像データを設定する読出データ設定手段としてのレベル設定部１１０、画像データを表示する画像表示手段としての画像表示部１１１、人間が判定結果を入力する判定結果入力手段としての判定結果入力部１１２、入力された判定結果を記憶する判定結果記憶部１１３、および、ゲート１１５を駆動制御するゲート制御部１１４から構成されている。
【００２１】
以下、各部について詳細に説明する。
集積部１１６内の印刷物Ｐは、搬送機構１２０により１枚ずつ取出して搬送され、集積部１１７へ送られる。搬送機構１２０により搬送される印刷物Ｐ上の画像データは、画像入力部１０１にて読取られ、入力される。画像入力部１０１は、たとえば、印刷物Ｐ上を光源からの光で照明し、その反射光をラインセンサで光電変換し、その出力信号をＡ／Ｄ変換してデジタル画像データとして出力するようになっている。これにより、搬送機構１２０で搬送される印刷物Ｐ上の全面の画像データを収集して入力することができる。
【００２２】
比較検査部１０３は、画像入力部１０１で入力された画像データを、基準画像記憶部１０２から出力される基準データと比較することにより、印刷物Ｐの印刷状態を検査する。すなわち、比較検査部１０３は、たとえば、図２に示すように、減算器２０１、絶対値計算部２０２、比較器２０３、および、計数部２０４から構成され、差異の大きい画素数を計数する。
【００２３】
図２において、減算器２０１は、画像入力部１０１が出力する画像データと基準画像記憶部１０２が出力する基準データとの画素値の差を１画素ごとに計算し、絶対値計算部２０２は、その計算結果に対する絶対値を求め、比較器２０３は、その差の絶対値とあらかじめ設定された閾値とを比較して、閾値よりも大きければ「１」、そうでなければ「０」を出力する。
【００２４】
ここに、たとえば、画像入力部１０１が図３に示すような画像データを出力し、基準画像記憶部１０２が図４に示すような基準データを出力する場合、各画素値の差を減算器２０１が求め、その絶対値を絶対値計算部２０２が計算し、比較器２０３が一定の閾値と比較し、図５に示すように、白い画素だけを「１」、その他を「０」として出力する。
【００２５】
その後、計数部２０４が比較器２０３が出力する「１」の画素数を計数し、その計数結果を出力する。図５の例に対しては、係数結果「２」を出力することになる。
【００２６】
欠陥レベル出力部１０４は、比較検査部１０３から出力される印刷欠陥のある画素数を欠陥レベルに変換する。すなわち、欠陥レベル出力部１０４は、たとえば、図６に示すような、画素数と欠陥レベルとの対応関係をテーブルの形で記憶しており、比較検査部１０３からの計数した画素数に基づき、このテーブルを参照することにより、欠陥の程度を例えば「０」から「５」の数値として出力するものである。
【００２７】
データ選別部１０５は、欠陥レベル出力部１０４が出力する欠陥の程度を表す数値にしたがって、画像入力部１０１が出力する画像データを記憶するデータ記憶部を切換えるものである。すなわち、データ選別部１０５は、Ｎ個のデータ記憶部１０６，１０７，１０８のいずれかを、欠陥レベル出力部１０４が出力するレベルデータにしたがって選択し、選択したデータ記憶部に画像入力部１０１が出力する画像データを記憶させる。
【００２８】
これにより、たとえば、データ記憶部１０６には欠陥レベル「０」の画像データが、データ記憶部１０７には欠陥レベル「１」の画像データが記憶されるといったように、印刷欠陥の程度別に画像データを分別して記憶することができる。また、この場合、データ記憶部１０６，１０７，１０８は、画像データとともに、対応する印刷物Ｐの連番情報（識別情報）をも記憶する。
【００２９】
さて、全ての印刷物Ｐの搬送が終り、集積部１１７に収集されると、データ読出部１０９は、データ記憶部１０６，１０７，１０８別に画像データを対応する連番情報とともに読出し、画像表示部１１１に順次表示する。この場合、読出される欠陥レベルはレベル設定部１１０により設定され、そのレベルに対応した画像データを記憶するデータ記憶部が選択される。レベル設定部１１０は、たとえば、欠陥が劣悪なレベルから順に自動的に設定でき、欠陥の程度のひどいものから順次、画像表示部１１１に表示するようになっている。
【００３０】
画像表示部１１１は、たとえば、図７に示すように、ＣＲＴあるいは液晶のディスプレイ装置７０１により構成され、印刷物Ｐの画像データを表示する。
判定結果入力部１１２は、検査者がディスプレイ装置７０１に表示された印刷物Ｐの画像データに対する判定結果を入力するもので、たとえば、図７に示すように、押釦スイッチ７０２やフットペダルスイッチ７０３により構成され、検査者の最終判定結果を良品「１」、不良品「０」として入力する。
【００３１】
判定結果記憶部１１３は、判定結果入力部１１２から入力される良品または不良品の判定結果を、データ読出部１０９から出力される対応する印刷物Ｐの連番情報とともに記憶する。
【００３２】
ゲート制御部１１４は、集積部１１７内の印刷物Ｐを搬送機構１２１で取出して搬送させ、その搬送途中で、連番に対応した印刷欠陥の判定データを判定結果記憶部１１３から読出し、その判定データにしたがってゲート１１５を制御することにより、搬送機構１２２または搬送機構１２３のいずれかに案内する。
【００３３】
搬送機構１２２または搬送機構１２３で搬送された印刷物Ｐは、集積部１１８または集積部１１９に集積される。たとえば、ゲート制御部１１４が、判定データが「１」のときに搬送機構１２２側に搬送されるようにゲート１１５を制御する場合、集積部１１８には良品の印刷物Ｐが、集積部１１９には不良品の印刷物Ｐが集積されることになる。
【００３４】
このように、第１の実施の形態によれば、機械的な前段階の処理により、印刷品質の悪い順に、もしくは、印刷品質の良い順に印刷物の画像を表示し、印刷品質の最終的な判定結果を収集することで、印刷物を選別することができる。これにより、ランダムに発生し得る印刷欠陥の検査を、印刷欠陥の程度が連続的に変化していく目視検査に変換することができる。したがって、突発的な判定ミスをなくし、かつ、判定レベルの均一性を保ち、また、検査の負担を軽減し、検査時間を短縮することができる。
【００３５】
次に、第２の実施の形態について説明する。
図８は、第２の実施の形態に係る印刷物の目視検査補助装置の構成を概略的に示すものである。第２の実施の形態は、前述した第１の実施の形態において、欠陥レベル出力部１０４を欠陥種類出力部８０１に置き換えるとともに、レベル設定部１１０をカテゴリ設定部８０２に置き換えたものであり、その他の部分については図１の第１の実施の形態と同様である。したがって、第１の実施の形態と同様の部分については説明を省略あるいは簡略化し、異なる部分について詳細に説明する。
【００３６】
比較検査部１０３は、画像入力部１０１で入力された画像データを、基準画像記憶部１０２から出力される基準データと比較することにより、印刷物Ｐの印刷状態を検査する。すなわち、比較検査部１０３は、たとえば、図９に示すように、減算器２０１、絶対値計算部２０２、比較器２０３、計数部２０４、および、符号抽出部９０１から構成される。
【００３７】
図９において、減算器２０１は、画像入力部１０１が出力する画像データと基準画像記憶部１０２が出力する基準データとの画素値の差を１画素ごとに計算し、絶対値計算部２０２は、その計算結果に対する絶対値を求め、比較器２０３は、その差の絶対値とあらかじめ設定された閾値とを比較して、閾値よりも大きければ「１」、そうでなければ「０」を出力する。
【００３８】
符号抽出部９０１は、減算器２０１が出力する減算結果の符号を抽出し、入力された画像データが基準データよりも小さければ（すなわち、暗ければ）「＋」、大きければ（すなわち、明るければ）「−」の符号データを計数部２０４に出力する。その後、計数部２０４が比較器２０３が出力する「１」の画素数を、符号抽出部９０１が出力する符号別に計数し、出力する。たとえば、先の例である図５に対しては、計数結果「−２」を出力することになる。
【００３９】
欠陥種類出力部８０１は、比較検査部１０３から出力される欠陥のある符号別の画素数を欠陥の種類に変換する。すなわち、欠陥種類出力部８０１は、たとえば、図１０に示すような、符号と画素数に対する欠陥の種類との対応関係をテーブルの形で記憶しており、比較検査部１０３からの計数した画素数に基づき、このテーブルを参照することにより、欠陥の種類に対応したカテゴリを出力する。
【００４０】
データ選別部１０５は、欠陥種類出力部８０１が出力する欠陥の種類を表わすカテゴリデータにしたがって、画像入力部１０１が出力する画像データを記憶するデータ記憶部を切換えるものである。すなわち、データ選別部１０５は、Ｎ個のデータ記憶部１０６，１０７，１０８のいずれかを、欠陥種類出力部８０１が出力するカテゴリデータにしたがって選択し、選択したデータ記憶部に画像入力部１０１が出力する画像データを記憶させる。
【００４１】
これにより、たとえば、データ記憶部１０６には「つぶれ」の欠陥の画像データが、データ記憶部１０７には「かすれ」の欠陥の画像データが記憶されるといったように、印刷欠陥の種類別に画像データを分別して記憶することができる。また、この場合、データ記憶部１０６，１０７，１０８は、画像データとともに、対応する印刷物Ｐの連番情報をも記憶する。
【００４２】
さて、全ての印刷物Ｐの搬送が終り、集積部１１７に収集されると、データ読出部１０９は、データ記憶部１０６，１０７，１０８別に画像データを対応する連番情報とともに読出し、画像表示部１１１に順次表示する。この場合、読出される欠陥の種類はカテゴリ設定部８０２により設定され、その欠陥の種類に対応した画像データを記憶するデータ記憶部が選択される。これにより、印刷欠陥の種類ごとに画像表示部１１１に画像データを表示し、目視検査を促すことができる。
【００４３】
このように、第２の実施の形態によれば、機械的な前段階の処理により、印刷欠陥の種類ごとに印刷物の画像を表示し、印刷品質の最終的な判定結果を収集することで、印刷物を選別することができる。これにより、印刷物の目視検査を欠陥の種類ごとに連続して進めることが可能となる。したがって、突発的な判定ミスをなくし、かつ、判定レベルの均一性を保ち、また、検査の負担を軽減し、検査時間を短縮することができる。
【００４４】
次に、第３の実施の形態について説明する。
図１１は、第３の実施の形態に係る印刷物の目視検査補助装置の構成を概略的に示すものである。第３の実施の形態は、前述した第１の実施の形態において、データ選別部１０５を欠陥情報付加部１１０１に置き換えるとともに、データ記憶部１０６，１０７，１０８を１つのデータ記憶部１１０２に置き換えたものであり、その他の部分については図１の第１の実施の形態と同様である。したがって、第１の実施の形態と同様の部分については説明を省略あるいは簡略化し、異なる部分について詳細に説明する。
【００４５】
欠陥情報付加部１１０１は、画像入力部１０１から連続的に入力される画像データに対して、欠陥レベル出力部１０４から出力される印刷欠陥のレベルデータを付加して、データ記憶部１１０２に記憶する。データ記憶部１１０２は、たとえば、図１２に示すようなデータ構造で、画像データと欠陥レベルとを対応させて記憶する。
【００４６】
さて、全ての印刷物Ｐの搬送が終り、集積部１１７に収集されると、データ読出部１０９は、データ記憶部１１０２内の画像データを読出し、画像表示部１１１に表示する。この場合、読出される欠陥レベルはレベル設定部１１０により設定され、図１２に示すデータ構造のうち、欠陥レベルのみを読取り、そのレベルに対応した画像データだけが選択されて出力される。レベル設定部１１０は、たとえば、欠陥の劣悪なレベルから順に自動的に設定でき、欠陥の程度のひどいものから順次、画像表示部１１１に表示するようになっている。
【００４７】
このように、第３の実施の形態によれば、機械的な前段階の処理により、印刷品質の悪い順に、もしくは、印刷品質の良い順に印刷物の画像を表示し、印刷品質の最終的な判定結果を収集することで、印刷物を選別することができる。これにより、ランダムに発生し得る印刷欠陥の検査を、欠陥の程度が連続的に変化していく目視検査に変換することができる。したがって、突発的な判定ミスをなくし、かつ、判定レベルの均一性を保ち、また、検査の負担を軽減し、検査時間を短縮することができる。
【００４８】
次に、第４の実施の形態について説明する。
図１３は、第４の実施の形態に係る印刷物の目視検査補助装置の構成を概略的に示すものである。第４の実施の形態は、前述した第３の実施の形態において、欠陥レベル出力部１０４を欠陥種類出力部８０１に置き換えるとともに、レベル設定部１１０をカテゴリ設定部８０２に置き換えたものであり、その他の部分については図１１の第３の実施の形態と同様である。したがって、説明は省略する。
【００４９】
このように、第４の実施の形態によれば、機械的な前段階の処理により、印刷欠陥の種類ごとに印刷物の画像を表示し、印刷品質の最終的な判定結果を収集することで、印刷物を選別することができる。これにより、印刷物の目視検査を欠陥の種類ごとに連続して進めることが可能となる。したがって、突発的な判定ミスをなくし、かつ、判定レベルの均一性を保ち、また、検査の負担を軽減し、検査時間を短縮することができる。
【００５０】
次に、第５の実施の形態について説明する。
図１４は、第５の実施の形態に係る印刷物の目視検査補助装置の構成を概略的に示すものである。第５の実施の形態は、前述した第１の実施の形態において、データ選別部１０５およびデータ記憶部１０６，１０７，１０８を１つのデータ記憶部１３０１に置き換えたものであり、その他の部分については図１の第１の実施の形態と同様である。したがって、第１の実施の形態と同様の部分については説明を省略あるいは簡略化し、異なる部分について詳細に説明する。
【００５１】
画像入力部１０１から入力される画像データは一旦、データ記憶部１３０１に記憶される。そして、全ての印刷物Ｐの搬送が終り、集積部１１７に収集されると、比較検査部１０３は、データ記憶部１３０１内の画像データを読出し、基準画像記憶部１０２から出力される基準データと比較することにより、前述同様に、印刷物Ｐの印刷状態を検査する。
【００５２】
欠陥レベル出力部１０４は、比較検査部１０３から出力される欠陥の画素数から、印刷欠陥のレベルデータを出力し、データ記憶部１３０１内の対応する画像データに付加する。データ記憶部１３０１は、たとえば、図１２に示すようなデータ構造で、画像データと欠陥レベルとを対応させて記憶する。
【００５３】
さて、全ての印刷物Ｐの検査が終り、欠陥レベルデータが付加されると、データ読出部１０９は、画像データ記憶部１３０１内の画像データを読出し、画像表示部１１１に表示する。この場合、読出される欠陥レベルはレベル設定部１１０により設定され、図１２に示すデータ構造のうち、欠陥レベルのみを読取り、そのレベルに対応した画像データだけが選択されて出力される。レベル設定部１１０は、たとえば、欠陥の劣悪なレベルから順に自動的に設定でき、欠陥の程度のひどいものから順次、画像表示部１１１に表示するようになっている。
【００５４】
このように、第５の実施の形態によれば、機械的な前段階の処理により、印刷品質の悪い順に、もしくは、印刷品質の良い順に印刷物の画像を表示し、印刷品質の最終的な判定結果を収集することで、印刷物を選別することができる。これにより、ランダムに発生し得る印刷欠陥の検査を、印刷欠陥の程度が連続的に変化していく目視検査に変換することができる。したがって、突発的な判定ミスをなくし、かつ、判定レベルの均一性を保ち、また、検査の負担を軽減し、検査時間を短縮することができる。
【００５５】
次に、第６の実施の形態について説明する。
図１５は、第６の実施の形態に係る印刷物の目視検査補助装置の構成を概略的に示すものである。第６の実施の形態は、前述した第５の実施の形態において、欠陥レベル出力部１０４を欠陥種類出力部８０１に置き換えるとともに、レベル設定部１１０をカテゴリ設定部８０２に置き換えたものであり、その他の部分については図１４の第５の実施の形態と同様である。したがって、説明は省略する。
【００５６】
このように、第６の実施の形態によれば、機械的な前段階の処理により、印刷欠陥の種類ごとに印刷物の画像を表示し、印刷品質の最終的な判定結果を収集することで、印刷物を選別することができる。これにより、印刷物の目視検査を欠陥の種類ごとに連続して進めることが可能となる。したがって、突発的な判定ミスをなくし、かつ、判定レベルの均一性を保ち、また、検査の負担を軽減し、検査時間を短縮することができる。
【００５７】
次に、第７の実施の形態について説明する。
図１６は、第７の実施の形態に係る印刷物の目視検査補助装置の構成を概略的に示すものである。第７の実施の形態は、前述した第２の実施の形態において、データ記憶部１０６，１０７，１０８、データ読出部１０９、および、カテゴリ設定部８０２を省略し、画像表示部１１１を複数（Ｎ個）の画像表示部１４０１，１４０２，１４０３に置き換えるとともに、判定結果入力部１１２を複数（Ｎ個）の判定結果入力部１４０４，１４０５，１４０６に置き換えたものであり、その他の部分については図８の第２の実施の形態と同様である。したがって、第２の実施の形態と同様の部分については説明を省略あるいは簡略化し、異なる部分について詳細に説明する。なお、判定結果入力部１４０４，１４０５，１４０６は、画像表示部１４０１，１４０２，１４０３にそれぞれ対応して設けられている。
【００５８】
印刷物Ｐ上の画像データは画像入力部１０１で入力され、比較検査部１０３により基準画像記憶部１０２に記憶されている基準データと比較することにより、前述同様に、印刷物Ｐの印刷状態が検査される。
【００５９】
欠陥種類出力部８０１は、前述同様に、比較検査部１０３から出力されるデータに基づいて印刷欠陥の種類を出力する。
データ選別部１０５は、欠陥種類出力部８０１が出力する欠陥の種類を表わすデータに基づいて、画像入力部１０１が出力する画像データを、Ｎ個の画像表示部１４０１，１４０２，１４０３のいずれか１つに表示させる。これにより、各画像表示部１４０１，１４０２，１４０３には、それぞれ印刷欠陥の種類ごとに画像データが表示されることになり、それぞれの印刷欠陥の専門家が精密な目視検査を行なうことができる。
【００６０】
Ｎ個の画像表示部１４０１，１４０２，１４０３に対応して設置されたＮ個の判定結果入力部１４０４，１４０５，１４０６は、検査者の最終的な判定結果を入力し、前述同様に、判定結果記憶部１１３に記憶される。
【００６１】
このように、第７の実施の形態によれば、データ記憶部１０６，１０７，１０８やデータ読出部１０９を用いることなく、複数の人間により印刷欠陥の種類別に目視検査することで、高速かつ正確な印刷検査が可能になる。
【００６２】
また、機械的な前段階の処理により、印刷欠陥の種類ごとに印刷物の画像を表示し、印刷品質の最終的な判定結果を収集することで、印刷物を選別することができる。これにより、印刷物の目視検査を印刷欠陥の種類ごとに担当者を分けて進めることが可能となる。したがって、突発的な判定ミスをなくし、かつ、判定レベルの均一性を保ち、また、検査の負担を軽減し、検査時間を短縮することができる。
【００６３】
【発明の効果】
以上詳述したように本発明によれば、人間が目視にて行なう印刷物の検査において、検査者の労力を軽減し、かつ、誤判別をなくして検査ミスの減少が可能となる印刷物の目視検査補助装置を提供できる。
【図面の簡単な説明】
【図１】本発明の第１の実施の形態に係る印刷物の目視検査補助装置の構成を概略的に示すブロック図。
【図２】比較検査部の構成を概略的に示すブロック図。
【図３】画像入力部が入力する画像データの一例を示す図。
【図４】基準画像記憶部が出力する基準データの一例を示す図。
【図５】比較検査部が出力する検査結果データの一例を示す図。
【図６】欠陥レベル出力部の機能を説明するための図。
【図７】画像表示部および判定結果入力部の具体例を示す外観斜視図。
【図８】本発明の第２の実施の形態に係る印刷物の目視検査補助装置の構成を概略的に示すブロック図。
【図９】比較検査部の構成を概略的に示すブロック図。
【図１０】欠陥種類出力部の機能を説明するための図。
【図１１】本発明の第３の実施の形態に係る印刷物の目視検査補助装置の構成を概略的に示すブロック図。
【図１２】データ記憶部が記憶するデータ構造を概略的に示す図。
【図１３】本発明の第４の実施の形態に係る印刷物の目視検査補助装置の構成を概略的に示すブロック図。
【図１４】本発明の第５の実施の形態に係る印刷物の目視検査補助装置の構成を概略的に示すブロック図。
【図１５】本発明の第６の実施の形態に係る印刷物の目視検査補助装置の構成を概略的に示すブロック図。
【図１６】本発明の第７の実施の形態に係る印刷物の目視検査補助装置の構成を概略的に示すブロック図。
【符号の説明】
Ｐ……印刷物、１０１……画像入力部（画像入力手段）、１０２……基準画像記憶部、１０３……比較検査部（検査手段）、１０４……欠陥レベル出力部、１０５……データ選別部（データ選別手段）、１０６，１０７，１０８……データ記憶部（記憶手段）、１０９……データ読出部（データ読出手段）、１１０……レベル設定部（読出データ設定手段）、１１１，１４０１，１４０２，１４０３……画像表示部（画像表示手段）、１１２，１４０４，１４０５，１４０６……判定結果入力部（判定結果入力手段）、１１３……判定結果記憶部、８０１……欠陥種類出力部、８０２……カテゴリ設定部（読出データ設定手段）、１１０２，１３０１……データ記憶部（記憶手段）。
【図１】
0003579182.tif 000002
【図２】
0003579182.tif 000003
【図３】
0003579182.tif 000004
【図４】
0003579182.tif 000005
【図５】
0003579182.tif 000006
【図６】
0003579182.tif 000007
【図７】
0003579182.tif 000008
【図８】
0003579182.tif 000009
【図９】
0003579182.tif 000010
【図１０】
0003579182.tif 000011
【図１１】
0003579182.tif 000012
【図１２】
0003579182.tif 000013
【図１３】
0003579182.tif 000014
【図１４】
0003579182.tif 000015
【図１５】
0003579182.tif 000016
【図１６】
0003579182.tif 000017